【事件の表示】
　特願２００５−５１６６００「保護パネル付き電子機器、保護パネル」拒絶査定不服審判事件〔平成１７年　７月１４日国際公開、ＷＯ２００５／０６４４５１〕について、次のとおり審決する。
【結　論】
　本件審判の請求は、成り立たない。
【理　由】
第１　手続の経緯
　本願は、平成１６年１２月２２日（特許法４１条に基づく優先権主張：優先日　平成１５年１２月２６日、優先権主張の基礎出願　特願２００３−４３２６２８号）を国際出願日とする特願２００５−５１６６００号の出願である。原審において、平成１９年８月２日付けで拒絶理由が通知され、同年１０月５日付けで手続補正がされるとともに意見書が提出されたものの、同年１０月３１日付けで拒絶査定がされた（同年１１月６日発送）。
　原審の当該査定を不服として、同年１２月６日に本件の拒絶査定不服審判の請求がされ、平成２０年１月４日付けで手続補正がされた。その後、前置報告書の内容について、審判請求人の意見を求めるために平成２１年５月１５日付けで審尋したところ、同年７月１７日付けで回答書が提出された。同年１１月２５付けでいわゆる最初の拒絶理由を通知したところ、平成２２年１月２９日付けで手続補正がされるとともに意見書が提出され、同年２月１７日付けで再度いわゆる最初の拒絶理由を通知したところ、同年４月２６日付けで手続補正がされるとともに意見書が提出された。
　
　
第２　本願発明の認定
　本願の請求項１に係る発明は、平成２２年４月２６日付けの手続補正により補正された特許請求の範囲の請求項１に記載された事項により特定されるものである。ただし、請求項１の第２段落においては、「前記外部接続回路」との記載があるところ、この記載の前の部分においては「外部接続回路」との記載はないから、「前記外部接続回路」は「外部接続回路」の誤記であると認める。したがって、本願の請求項１に係る発明（以下「本願発明」という。）は次のとおりであると認める。
＜本願発明＞
「透明窓部（８ａ）を有する加飾層（９）が形成されている保護パネル（１００）と、
　外側面が同一平面を形成するように前記保護パネルを前記外側面側から隙間なく嵌め込まれるように形成された、開口（１７）を有するパネル嵌め込み部（２２）を備えるケーシング（１３）と、
　前記保護パネル（１００）の下側に位置し、前記透明窓部を通して外部から視認可能に配置されたディスプレイ装置（１５）とを備え、
　前記保護パネル（１００）は、
　透明下部電極（２）と、前記透明下部電極の周囲に前記加飾層（９）により隠蔽されるように周縁部分に設けられ、上部回路及び下部回路の端子を保護パネル本体の上面側から下面側に引き出すための貫通穴と、前記透明下部電極の周囲に前記加飾層（９）により隠蔽されるように上側表面に設けられた外部接続回路と連通する下部回路（５ｂ）とを備えた透明の保護パネル本体（１）と、
　前記保護パネル本体（１）の透明下部電極（２）に対向する位置に設けられた透明上部電極（４）と、前記透明上部電極の周囲に前記加飾層により隠蔽されるように設けられ、前記保護パネル本体（１）の上面側に引き回された前記外部接続回路と連通する上部回路（５ａ）とを下面に備え、周縁部が接着されて前記保護パネル本体の上側に空気層を介するように配置された透明樹脂フィルム（３）と、
　前記透明樹脂フィルム（３）の上面に設けられ、少なくとも一方の面に前記加飾層（９）が形成された透明樹脂製のカバーフィルム（８）を備えるとともに、前記加飾層（９）により隠蔽された前記保護パネル本体の前記周縁部分の前記貫通穴を介して、全ての前記下部回路及び前記上部回路の端子を前記保護パネル本体の下面側から引き出す、保護パネル付き電子機器。」
　
　
第３　特許法第２９条の２の要件について
１　先願明細書及び先願明細書の記載事項
　平成２２年２月１７日付けの拒絶理由通知書で引用した、本願の優先日前の他の出願であって、当該優先日後に出願公開された特願２００３−４１３１８０号（以下「先願」という。特開２００５−１７３９７０号参照）の願書に最初に添付した明細書又は図面（以下「先願明細書」という。）には、図面とともに以下の事項が記載されている（当審注：下記「２　先願発明の認定」において特に関連する箇所に下線を引いた。）。
（１）【特許請求の範囲】の欄
「【請求項３】
　
第１の透光性基板と、一方の面側が操作面側とされた第２の透光性基板とが絶縁層を介して対向配置され、それぞれの透光性基板の内面側に透明導電膜が形成され、該透明導電膜と接続された印刷回路が外周部が形成され、前記第１、第２の透光性基板に形成された印刷回路に交互に電圧が印加され電圧が印加されていない方の印刷回路から出力される電圧を検出することにより押圧された位置の座標を検出することができる座標入力装置であって、　前記第２の透光性基板の外面に加飾印刷シートが形成され、前記第１、第２の透光性基板の外周部に形成された印刷回路が前記加飾印刷シートにより隠蔽されて前記第２の透光性基板の操作面側からは視認できないようにしたことを特徴とする座標入力装置。
【請求項４】
　
請求項１乃至３のいずれか一項に記載の座標入力装置を、画像表示装置の前面に備えたことを特徴とする画像表示装置。
【請求項５】
　
請求項４に記載の画像表示装置を表示部に備えたことを特徴とする電子機器。
　
（２）段落【０００１】〜【０００７】
「【０００１】
　本発明は、座標入力装置及びそれを備えた画像表示装置と電子機器に関するものであり、特に、操作面上を指示体により走査して座標の入力を行うことができる座標入力装置及びそれを備えた画像表示装置と、このような画像表示装置を備えた電子機器に関するものである。
【背景技術】
【０００２】
　近年、携帯情報端末などの電子機器の表示部として、表示部に表示されたメニュー項目などのオブジェクトを、手指やペンなどの指示体で直接操作するために透明なタブレット（タッチパネル）が液晶表示ユニットの前面側に配設されたものが知られている。
　図５は、このようなタブレットを備えた液晶表示装置の一例を示す断面図である。
　図５に示す液晶表示装置１００は、液晶表示ユニット１２０の前面側にタブレット１３０が配設された構成とされている。液晶表示ユニット１２０は、互いに対向して配置された上基板１２１と、下基板１２２との間に、シール材１２４で封止された液晶層１２３を挟持しており、上基板１２１の内面側（液晶層１２３側）に、電極や配向膜などからなる液晶制御層１２６が形成され、下基板１２２の内面側（液晶層１２３側）には、アルミニウムや銀等の高反射率の金属薄膜からなる反射層あるいは上記金属薄膜に透孔を形成した半透過反射層１２７と、電極や配向膜などからなる液晶制御層１２８とが下基板１２２上に順に積層されている。
【０００３】
　タブレット１３０は、対向して配置された透明な上基板１３１と下基板１３２とが接着層１３６により接合一体化された構成である。下基板１３２の内面側（上基板１３１側）に、第１の電極層１３３が形成され、この第１の透明電極層１３３上に絶縁体のスペーサ（図示略）が互いに間隔を空けて形成されている。上基板１３１の内面側（下基板１３２側）には、第２の透明電極層１３４が形成されている。
　下基板１３２の内面側の周縁部には導電性金属フィラーを樹脂に分散させた導電性ペーストからなる引出回路や該引出回路と接続された接続電極部等の下側印刷回路１３７が形成されており、該印刷回路１３７に第１の透明電極層１３３が接続されている。また、上基板１３１の内面側の周縁部には導電性金属フィラーを樹脂に分散させた導電性ペーストからなる引出回路や該引出回路と接続された接続電極部などの上側印刷回路１３８が形成されており、該印刷回路１３８に第２の透明電極層１３４が接続されている。
　また、このようなタイプのタブレット１３０では、上基板１３１が透明性を有する基材から形成されているために、印刷回路１３７、１３８が操作面側から透けてしまうため、通常はベゼルと呼ばれる枠体１４５を上基板１３１の外面側の周縁部に設けて印刷回路形成領域を覆うようにしていた（例えば、特許文献１参照）。
【０００４】
　上記構成のタブレット１３０は、抵抗接触式のタブレットであり、非操作時には上記接着層１３６、印刷回路１３７、１３８の形成膜厚や上記スペーサにより離間されている第１、第２の透明電極層１３３，１３４を、指示体１４０で上基板１３１を押圧して撓ませ、この被押圧部において透明電極層１３３，１３４を電気的に接触させることで、座標入力を行うものである。
　また実際にはタブレット１３０は支持部材１３９を介して液晶表示ユニット１２０に固定されており、タブレット１３０が固定された状態では、タブレット１３０と液晶表示ユニット１２０は所定の間隔を有して互いに離間されるようになっている。
【０００５】
　以上の構成の液晶表示装置１００によれば、液晶表示ユニット１２０を用いた表示を行うことができ、また指示体１４０（図示ではペン型の指示体）によりタブレット１３０の上面を走査することで、座標入力を行うことができるようになっている。従って、例えば液晶表示ユニット１２０に表示されたメニュー項目などのオブジェクトを選択する操作を行う場合には、オブジェクトの表示位置を指示体１４０により押圧することで選択動作を行うことができる。
【特許文献１】特開平１０−１０４３７４号公報
【発明の開示】
【発明が解決しようとする課題】
【０００６】
　しかしながら上記構成の液晶表示装置１００においては、タブレット１３０の上基板１３１の外面側の周縁部に枠体１４５が設けられているため、この液晶表示装置１００を例えば図６に示すような携帯電話機６０１の表示部６０１ｅに実装する場合、携帯電話の厚みが厚くなる、また、表示部を視認したときに枠体１４５が見えてしまい、外観が悪いという問題があった。
　また、タブレット１３０の上面（上基板１３１の外面）に上記のような枠体１４５があると、操作面（上基板１３１の外面）と枠体１４５との段差部があるため、指示体１４０によりタブレット１３０の上面を走査する際に邪魔になることがあり、使い勝手が悪く、また、上記段差部に塵等が付着し易いという問題があった。
【０００７】
　本発明は、上記事情に鑑みてなされたものであって、外観を向上できるうえ、操作面上を指示体により走査して座標の入力を行い易い座標入力装置を提供することを目的の一つとする。
　また、本発明は、上記のような座標入力装置を備えることにより、携帯電話等の電子機器の表示部に実装した場合に、電子機器の厚みを薄くでき、枠体と操作面との段差部に起因する塵等の付着を防止できる画像表示装置を提供することを目的の一つとする。
　また、本発明は、上記のような画像表示装置を備えることにより、外観及び使い勝手が良く、表示部に塵等が付着するのを改善できる薄型の電子機器を提供することを目的の一つとする。」
　
（３）段落【０００８】〜【００１６】
「【０００８】
　上記目的を達成するために、本発明は以下の構成を採用した。
　第１の発明の座標入力装置は、第１の透光性基板（下側の基板：固定側）と、一方の面側が操作面側とされた第２の透光性基板（上側の基板：操作側）とが絶縁層を介して対向配置され、それぞれの透光性基板の内面側に透明導電膜が形成され、該透明導電膜と接続された印刷回路が外周部が形成され、上記第１、第２の透光性基板に形成された印刷回路に交互に電圧が印加され電圧が印加されていない方の印刷回路から出力される電圧を検出することにより押圧された位置の座標を検出することができる座標入力装置であって、
　上記第２の透光性基板の内面側に形成された透明導電膜と、上記第２の透光性基板との間に加飾印刷層が形成され、上記第１、第２の透光性基板の外周部に形成された印刷回路が上記加飾印刷層により隠蔽されて上記第２の透光性基板の操作面側からは視認（目視確認）できないようにしたことを特徴とする。
【０００９】
　第１の発明の座標入力装置では、上記第２の透光性基板の内面側に形成された透明導電膜と、上記第２の透光性基板との間に加飾印刷層が形成され、上記第１、第２の透光性基板の外周部に形成された印刷回路が上記加飾印刷層により隠蔽されたことにより、この座標入力装置を上記第２の透光性基板の操作面側から観察ときに上記印刷回路は見えることがなく、また、上記加飾印刷層は、模様、文字、マーク、絵柄、着色等の加飾が施されているので、見栄えがよく、外観が良好である。
　また、上記加飾印刷層は上記第２の透光性基板の内面側に形成されているので、第２の透光性基板の外面（操作面）は平坦面とすることができ、タブレットの外面にベゼル等の枠体を設けた従来タイプであったような操作面との段差部がなく、指示体等により第２の透光性基板の外面（操作面）を走査する際に邪魔になることがなく、使い勝手が良い。また、第２の透光性基板の外面は平坦面とすることができるので、第２の透光性基板の外面に耐摩耗性を有するハードコート層を設けることも可能で、このハードコート層により第２の透光性基板を保護できる。
　また、上記加飾印刷層は、スクリーン印刷、グラビア印刷、オフセット印刷等の印刷法や、転写法、あるいは蒸着法により形成できるので厚みを非常に薄くでき、上記第２の透光性基板の内面と上記加飾印刷層との段差も殆どできないため、第１の座標入力装置は、タブレットの外面にベゼル等の枠体を設けた従来タイプと比べて薄型とすることできる。
…（中略）…
【００１１】
　第２の発明の座標入力装置は、第１の透光性基板（下側の基板：固定側）と、一方の面側が操作面側とされた第２の透光性基板（上側の基板：操作側）とが絶縁層を介して対向配置され、それぞれの透光性基板の内面側に透明導電膜が形成され、該透明導電膜と接続された印刷回路が外周部が形成され、上記第１、第２の透光性基板に形成された印刷回路に交互に電圧が印加され電圧が印加されていない方の印刷回路から出力される電圧を検出することにより押圧された位置の座標を検出することができる座標入力装置であって、
　上記第２の透光性基板の外面に加飾印刷シートが形成され、上記第１、第２の透光性基板の外周部に形成された印刷回路が上記加飾印刷シートにより隠蔽されて上記第２の透光性基板の操作面側からは視認できないようにしたことを特徴とする。
【００１２】
　第２の発明の座標入力装置では、上記第２の透光性基板の外面に上記のような加飾印刷シートを形成したことにより、この座標入力装置を上記第２の透光性基板の操作面側から観察ときに上記印刷回路は見えることがなく、また、上記加飾印刷シートには、模様、文字、マーク、絵柄等の加飾が施されているので、見栄えがよく、外観が良好である。
　また、上記加飾印刷シートは上記第２の透光性基板の外面側に形成されているが、シート状のものであるので厚みを非常に薄くできるので、第２の透光性基板の外面は略平坦面とすることができ、指示体等により第２の透光性基板の外面を走査する際に邪魔になることがなく、使い勝手が良い。また、第２の透光性基板の外面は略平坦面とすることができるので、第２の透光性基板の外面に耐摩耗性を有するハードコート層を設けることができ、このハードコート層により第２の透光性基板を保護できる。
【００１３】
　また、上記加飾印刷シートは、シート状フィルム（基材）にスクリーン印刷、グラビア印刷、オフセット印刷等の印刷法や、転写法、あるいは蒸着法により模様、文字、マーク、絵柄等の加飾印刷層が施されたものであるので厚みを非常に薄くでき、上記第２の透光性基板の外面と該加飾印刷シートとの段差も殆どできないため、第２の座標入力装置は、タブレットの外面にベゼル等の枠体を設けた従来タイプと比べて薄型とすることできる。
　また、上記加飾印刷シートの一方の面には粘着層が形成されていてもよい。その場合、第２の透光性基板の外面に設ける前の加飾印刷シートは粘着層を介して支持シートに貼着されていてもよく、支持シートを剥離後に上記粘着層側の面を第２の透光性基板の外面に貼り付けることで、第２の透光性基板の外面に加飾印刷シートを形成することができる。
【００１４】
　第３の発明の画像表示装置は、上記のいずれかの構成の本発明の座標入力装置を、液晶表示装置や有機ＥＬ表示装置等の画像表示装置の前面に備えたことを特徴とする。
　第３の発明の画像表示装置では、上記第２の透光性基板の外面側の平坦性が良好であり、薄型化された上記のいずれかの構成の本発明の座標入力装置が画像表示装置の前面に備えられたことにより、座標入力装置の操作面上を指示体により走査して座標の入力を行い易く、画像表示装置に表示されたメニュー項目などのオブジェクトを選択する操作をスムーズに行うことができ、また、薄型化された画像表示装置とすることができる。また第２の透光性基板の外面側の平坦性が良好な本発明の座標入力装置が備えられているので、外面にベゼル等の枠体を設けた従来タイプのタブレットのような操作面と枠体の段差部がないので、このような段差部に起因する塵等の付着を防止できる。
　また、上記のような加飾印刷層又は加飾印刷シートにより上記印刷回路が隠蔽された本発明の座標入力装置が備えられたことにより、上記印刷回路が見えることがなく、見栄えを向上できる。
【００１５】
　第４の発明の電子機器は、第３の発明の画像表示装置を表示部に備えたことを特徴とする。
　第４の発明の電子機器では、表示部に第３の発明の画像表示装置が備えられたことにより、外観及び使い勝手が良く、表示部に塵等が付着するのを改善された薄型の電子機器を実現できる。
【発明の効果】
【００１６】
　以上、詳述したように本発明によれば、外観を向上できるうえ、操作面上を指示体により走査して座標の入力を行い易い座標入力装置を提供できる。
　また、本発明の画像表示装置によれば、本発明の座標入力装置を備えることにより、携帯電話等の電子機器の表示部に実装した場合に、電子機器の厚みを薄くでき、枠体と操作面との段差部に起因する塵等の付着を防止できる。
　また、本発明の電子機器は、本発明の画像表示装置を備えることにより、外観及び使い勝手が表示部に塵等が付着するのを改善できる薄型の電子機器を提供できる。」
　
（４）段落【００１７】〜【００３４】
「【００１７】
　以下、図面により本発明の実施形態について説明する。なお、以下の全ての図面においては、図面を見やすくするため、各構成要素の膜厚や寸法の比率などは適宜異ならせて示してある。
 （座標力装置及び画像表示装置の実施形態） 
　図１は、本発明の画像表示装置の一実施の形態である液晶表示装置の模式断面図である。
　この液晶表示装置１０は、液晶表示ユニット２０と、その前面に配設された本発明の一実施形態のアナログ型抵抗膜方式のタッチパネル（座標入力装置）３０とを備えて構成されている。
　液晶表示ユニット２０は、互いに対向して配置された上基板２１と、下基板２２との間に、シール材２４で封止された液晶層２３を挟持しており、上基板２１の内面側（液晶層２３側）に、電極や配向膜などからなる液晶制御層２６が形成され、下基板２２の内面側（液晶層１２３側）には、アルミニウムや銀等の高反射率の金属薄膜からなる反射層２７と、電極や配向膜などからなる液晶制御層２８とが下基板２２上に順に積層されている。　
　上記液晶表示ユニット２０は反射型とされており、外部から入射した外光を反射層２７により反射させて表示を行うようになっている。
【００１８】
　
タッチパネル３０は、対向して配置された上側透光性基板（第２の透光性基板、操作側の基板）３１と下側透光性基板（第１の透光性基板、固定側の基板）３２とが略環状の接着層３６により接合一体化され、これら上側透光性基板３１と下側透光性基板３２の間に空間部が設けられている。上側透光性基板３１は、透明フィルム等の可撓性を有する材料から構成されている。下側の透光性基板３２は、透明ガラス基板又はプラスチック基板又はプラスチックフィルムから構成されている。
【００１９】
　
下側透光性基板３２の内面側（上側透光性基板３１側）には、第１の透明導電膜３３が形成され、
　
下側透光性基板３２の内面側の外周部には導電性金属フィラーを樹脂に分散させた導電性ペーストからなる引出回路や該引出回路と接続された接続電極部等の下側印刷回路（第１の印刷回路）３７が形成されており、上記第１の透明導電膜３３に上記印刷回路３７が接続されている。
【００２０】
　
上側透光性基板３１の内面側（下側透光性基板３２側）の外周部には加飾印刷層４１が形成されている。
　加飾印刷層４１を形成する範囲は、下側印刷回路（第１の印刷回路）３７と後述の上側印刷回路（第２の印刷回路）３８の上方位置であり、このタッチパネル３０を上側透光性基板３１側（第２の透光性基板の操作面側）から見たときに、下側印刷回路（第１の印刷回路）３７と後述の上側印刷回路（第２の印刷回路）がこの加飾印刷４１により隠蔽されていて視認（目視確認）できない位置とされる。
【００２１】
　加飾印刷層４１は上記のように厚さが薄いものであるので、上側透光性基板３１の内面と加飾印刷層４１との段差は殆どないが、これら上側透光性基板３１の内面と加飾印刷層４１をさらに透明性を有するオーバーコート層４２で覆うことにより平坦性を向上させている。透明性を有するオーバーコート層４２の材質としては、紫外線硬化型のアクリル系樹脂硬化層や、ポリシラザンに由来する化合物からなるシリカ質の層等を挙げることができる。また、このオーバーコート層４２の材質としては、加飾印刷層４１、後述の第２の透明導電膜３４、上側透光性基板３１との密着性の優れた材料を用いることで、第２の透明導電膜３４と加飾印刷層４１との密着性を向上できる点で好ましい。このオーバーコート層４２は、印刷法、転写法、蒸着法以外に後述のインモールド成形法等によっても形成することができる。
【００２２】
　
上記オーバーコート層４２の内面側には、第２の透明導電膜３３が形成されている。これらの第１と第２の透明導電膜３２、３４はいずれもインジウム酸化錫（ＩＴＯ)等の透明導電材料で形成されている。
　
また、上側透光性基板３１の内面側の外周部には導電性金属フィラーを樹脂に分散させた導電性ペーストからなる引出回路や該引出回路と接続された接続電極部などの上側印刷回路（第２の印刷回路）３８が形成されており、この印刷回路３８に上記第２の透明導電膜３４が接続されている。
【００２３】
　上記オーバーコート層４２をインモールド成形法により形成するには、支持シートと、この支持シートの一面に形成した加飾印刷層４１からなる転写用フィルムを用意し、この転写用フィルムから上側透光性基板３１に加飾印刷層４１を転写した後、これを射出成形用金型内に配置し、ついでこの金型内に上記基板３１等と密着性の良い樹脂を射出成形すると、オーバーコート層４２を形成することができる。
【００２４】
　また、上記タッチパネル３０は支持部材３９を介して液晶表示ユニット２０に固定されており、タッチパネル３０が固定された状態では、タッチパネル３０と液晶表示ユニット２０は所定の間隔を有して互いに離間されるようになっている。
　上記構成のタッチパネル３０は、抵抗接触式のものであり、非操作時には上記接着層３６、印刷回路３７、３８の形成膜厚や上記スペーサにより離間されている第１、第２の透明導電膜３３、３４を、指示体４０等で上側透光性基板３１を押圧して撓ませ、この被押圧部において第１、第２の透明導電膜３３、３４を電気的に接触させる。
印刷回路３７、３８には交互に電圧が印加され電圧が印加されていない方の印刷回路から出力される電圧を検出することにより押圧された位置の座標を検出することができる。
【００２５】
　以上の構成の液晶表示装置１０によれば、液晶表示ユニット２０を用いた表示を行うことができ、また指示体４０（図示ではペン型の指示体）によりタッチパネル３０の操作面（上側透光性基板３１の表面）を走査することで、座標入力を行うことができるようになっている。従って、例えば液晶表示ユニット２０に表示されたメニュー項目などのオブジェクトを選択する操作を行う場合には、オブジェクトの表示位置を指示体４０により押圧することで選択動作を行うことができる。
【００２６】
　上記構成のタッチパネル３０では、第２の透光性基板３１の内面側に形成された第２の透明導電膜３４と、第２の透光性基板３１との間に加飾印刷層４１が形成され、第１、第２の透光性基板の外周部に形成された印刷回路３７、３８が加飾印刷層４１により隠蔽されているので、このタッチパネル３０を第２の透光性基板の操作面側（第２の透光性基板の上面側）から観察ときに第１と第２の印刷回路３７、３８は見えることがなく、また、加飾印刷層４１は、加飾が施されているので、見栄えがよく、外観が良好である。
　また、加飾印刷層４１は第２の透光性基板３１の内面側に形成されているので、第２の透光性基板３１の外面は平坦面とすることができ、タブレットの外面にベゼル等の枠体を設けた従来タイプであったような操作面との段差部がなく、指示体４０等により操作面を走査する際に邪魔になることがなく、使い勝手が良い。
　また、加飾印刷層４１は、上記印刷法や、転写法、あるいは蒸着法により形成できるので厚みを非常に薄くでき、第２の透光性基板３１の内面と加飾印刷層４１との段差も殆どできないため、本実施形態のタッチパネル３０は、タブレットの外面にベゼル等の枠体を設けた従来タイプと比べて薄型とすることできる。
　また、本実施形態のタッチパネル３０では、第２の透光性基板３１の内面側に形成された透明導電膜３４と、加飾印刷層４１との間にオーバーコート層４２が形成されたことにより、第２の透光性基板３１の内面側の平坦性を向上できる。
【００２７】
　本実施形態の液晶表示装置１０では、第２の透光性基板３１の外面側の平坦性が良好であり、薄型化されたタッチパネル３０が液晶表示ユニット２０の前面に備えられたことにより、タッチパネル３０の操作面上を指示体４０等により走査して座標の入力を行い易く、液晶表示ユニットに表示されたメニュー項目などのオブジェクトを選択する操作をスムーズに行うことができ、また、薄型化された液晶表示装置とすることができる。また、
第２の透光性基板３１の外面側の平坦性が良好なタッチパネル３０が備えられているので、外面にベゼル等の枠体を設けた従来タイプのタブレットのような操作面と枠体の段差部がないので、このような段差部に起因する塵等の付着を防止できる。
　また、加飾印刷層４１により第１や第２の印刷回路３７、３８が隠蔽されたタッチパネル３０が備えられたことにより、第１や第２の印刷回路３７、３８が見えることがなく、見栄えが良い。
【００２８】
　
なお、上記の実施形態の液晶表示装置においては、図１に示すようなタッチパネル３０が液晶表示ユニット２０の前面に備えられた場合について説明したが、タッチパネルとしては、図２に示すようなタッチパネル３０ａ又は図３に示すようなタッチパネル３０ｂであってもよい。
　図２に示すタッチパネル３０ａが図１に示すタッチパネル３０と異なるところは、第２の透光性基板３１の外面側の外周部に第１と第２の印刷回路３７、３８を隠蔽する加飾印刷シート４１ａが形成され、第２の透光性基板３１の内面側の外周部に第２の透明導電膜３３と接続された第２の印刷回路３７が形成されている点である。
　加飾印刷シート４１ａは、平面視矩形枠状のシート状フィルム４４ａにスクリーン印刷、グラビア印刷、オフセット印刷等の印刷法や、転写法、あるいは蒸着法により模様、文字、マーク、絵柄等の加飾印刷層４４ｂが形成されたものであり、厚みが非常に薄いものである。さらに加飾印刷層４４ｂの下面側に粘着層（図示略）が形成されている。この加飾印刷シート４１ａの厚みとしては、例えば０．０１５ｍｍ〜０．３ｍｍ程度とされる。
【００２９】
　第２の透光性基板３１の外面に設ける前の加飾印刷シート４１ａは、上記粘着層側の面が支持シートに貼着されており、この支持シートを剥離後に上記粘着層側の面を第２の透光性基板３１の外面に貼り付けることで、第２の透光性基板の外面に加飾印刷シート４１ａを形成することができる。
　この加飾印刷シート４１ａは第２の透光性基板３１の外面側に形成されているので、第２の透光性基板３１の内面側には図１のタッチパネル３０で設けていたようなオーバーコート層４２は形成されていない。
　また加飾印刷シート４１ａは、上記のように厚みが薄いものであるので、上記第２の透光性基板３１の外面とこの加飾印刷シート４１ａとの段差も殆どできないため、図２のタッチパネル３０ａは、タブレットの外面にベゼル等の枠体を設けた従来タイプと比べて薄型とすることできる。
【００３０】
　
図３に示すタッチパネル３０ｂが図１に示すタッチパネル３０と異なるところは、第２の透光性基板３１の外面側の外周部に第１と第２の印刷回路３７、３８を隠蔽する加飾印刷シート４１ｂが形成され、第２の透光性基板３１の内面側の外周部に第２の透明導電膜３３と接続された第２の印刷回路３７が形成されている点である。
　
加飾印刷シート４１ｂは、平面視矩形のシート状フィルム４４ａ’の外周部ににスクリーン印刷、グラビア印刷、オフセット印刷等の印刷法や、転写法、あるいは蒸着法により模様、文字、マーク、絵柄等の加飾印刷層４４ｂが平面視矩形枠状に形成されたものであり、厚みが非常に薄いものである。これらシート状フィルム４４ａ’と加飾印刷層４４ｂの下面側に粘着層４４ｃが形成されている。この加飾印刷シート４１ｂが図２の加飾印刷シート４１ｂと特に異なる点は、シート状フィルムの形状が平面視矩形状であることと、粘着層４４ｃがシート状フィルム４４ａ’の下面と加飾印刷層４４ｂの下面を覆うように形成されている点である。
　この加飾印刷シート４１ｂの厚みとしては、例えば０．０１５ｍｍ〜０．３ｍｍ程度とされる。
【００３１】
　
第２の透光性基板３１の外面に設ける前の加飾印刷シート４１ｂは、上記粘着層側の面が支持シートに貼着されており、この支持シートを剥離後に上記粘着層側の面を第２の透光性基板３１の外面に貼り付けることで、第２の透光性基板の外面に加飾印刷シート４１ｂを形成することができる。
【００３２】
 　図２や図３に示したタッチパネルでは、第２の透光性基板３１の外面に上記のような加飾印刷シートを形成したことにより、このタッチパネルを第２の透光性基板３１の操作面側から観察ときに印刷回路３７、３８は見えることがなく、また、上記加飾印刷シートには、加飾が施されているので、見栄えがよく、外観が良好である。
【００３３】
　本発明は上述の実施形態に限定されるものではなく、本発明の趣旨を逸脱しない範囲で種々変形して実施することができる。
　上記実施形態では、本発明の画像表示装置を反射型液晶表示装置に適用した場合について説明したが、座標入力装置と液晶表示ユニットの間にフロントライト（照明装置）が設けられていてもよい。
【００３４】
（電子機器の実施形態）
　図４は本発明に係る先の実施形態の液晶表示装置を備えた携帯電話（電子機器）の一例を示す斜視図である。　
　
図４に示す携帯電話３０１は、上部筐体３０１ａと下部筐体３０１ｂとがヒンジ３０１ｃによって展開自在に連結されており、上部筐体３０１ａの操作面３０１ｄ側に表示部３０１ｅが設けられている。この表示部３０１ｅに先の実施形態の液晶表示装置１０がタッチパネル３０側を上にして備えられている。
　本実施形態の携帯電話３０１では、表示部３０１ｅに先の実施形態の液晶表示装置１０が備えられたことにより、外観及び使い勝手が良く、表示部に塵等が付着するのを改善された薄型の携帯電話とすることができる。」
　
（５）【符号の説明】の欄
「【００３６】
  １０・・・液晶表示装置（画像表示装置）、２０・・・液晶表示ユニット、３０、３０ａ，３０ｂ・・・タッチパネル（座標入力装置）、３１・・・上側透光性基板（第２の透光性基板）、３２・・・下側透光性基板（第１の透光性基板）、３３・・・第１の透明導電膜、３４・・・第２の透明導電膜、３７・・・下側印刷回路（第１の印刷回路）、３８・・・上側印刷回路（第２の印刷回路）、４１，４４ｂ・・・加飾印刷層、４１ａ，４１ｂ・・・加飾印刷シート、４２・・・オーバーコート層、４４ａ・・・シート状フィルム、４４ｃ・・・粘着層、３０１・・・携帯電話（電子機器）、３０１ｅ・・・表示部。」
　
（６）【図１】〜【図６】
　【図１】〜【図６】にはそれぞれ下記のことが図示されている。
　【図１】　実施形態を示す概略断面図
　【図２】　他の実施形態を示す概略断面図
　【図３】　さらに他の実施形態を示す概略断面図
　【図４】　電子機器の例を示す斜視図
　【図５】　従来のタブレットを備えた液晶表示装置の一例を示す断面図
　【図６】　従来の液晶表示装置を表示部に備えた携帯電話の一例を示す断面図
　
２　先願発明の認定
（１）先願明細書に記載された事項の検討
　先願明細書の【図３】に記載されたものに対応する発明について、先願明細書の段落【００２８】の「なお、上記の実施形態の液晶表示装置においては、図１に示すようなタッチパネル３０が液晶表示ユニット２０の前面に備えられた場合について説明したが、タッチパネルとしては、図２に示すようなタッチパネル３０ａ又は図３に示すようなタッチパネル３０ｂであってもよい。」との記載及び段落【００３０】の「図３に示すタッチパネル３０ｂが図１に示すタッチパネル３０と異なるところは、第２の透光性基板３１の外面側の外周部に第１と第２の印刷回路３７、３８を隠蔽する加飾印刷シート４１ｂが形成され、第２の透光性基板３１の内面側の外周部に第２の透明導電膜３３と接続された第２の印刷回路３７が形成されている点である。」との記載に留意して検討する。
　ア　先願明細書の【請求項４】の「請求項１乃至３のいずれか一項に記載の座標入力装置を、画像表示装置の前面に備えたことを特徴とする画像表示装置。」との記載、【請求項５】の「請求項４に記載の画像表示装置を表示部に備えたことを特徴とする電子機器。」との記載、段落【００２８】の「なお、上記の実施形態の液晶表示装置においては、図１に示すようなタッチパネル３０が液晶表示ユニット２０の前面に備えられた場合について説明したが、タッチパネルとしては、図２に示すようなタッチパネル３０ａ又は図３に示すようなタッチパネル３０ｂであってもよい。」との記載、段落【００３６】の「１０・・・液晶表示装置（画像表示装置）、２０・・・液晶表示ユニット、３０、３０ａ，３０ｂ・・・タッチパネル（座標入力装置）、…（中略）…３０１・・・携帯電話（電子機器）、３０１ｅ・・・表示部。」との記載、及び、段落【００３４】の「図４に示す携帯電話３０１は、上部筐体３０１ａと下部筐体３０１ｂとがヒンジ３０１ｃによって展開自在に連結されており、上部筐体３０１ａの操作面３０１ｄ側に表示部３０１ｅが設けられている。この表示部３０１ｅに先の実施形態の液晶表示装置１０がタッチパネル３０側を上にして備えられている。」との記載を参酌すると、先願明細書には、「座標入力装置（３０ｂ）を前面に備えた、液晶表示ユニット（２０）を有する画像表示装置（１０）を、上部筐体（３０１ａ）の表示部に備えた電子機器（３０１）」が記載されていると認められる。
　イ　先願明細書の段落【００１８】の「タッチパネル３０は、対向して配置された上側透光性基板（第２の透光性基板、操作側の基板）３１と下側透光性基板（第１の透光性基板、固定側の基板）３２とが略環状の接着層３６により接合一体化され、これら上側透光性基板３１と下側透光性基板３２の間に空間部が設けられている。上側透光性基板３１は、透明フィルム等の可撓性を有する材料から構成されている。下側の透光性基板３２は、透明ガラス基板又はプラスチック基板又はプラスチックフィルムから構成されている。」との記載、段落【００３０】の「図３に示すタッチパネル３０ｂが図１に示すタッチパネル３０と異なるところは、第２の透光性基板３１の外面側の外周部に第１と第２の印刷回路３７、３８を隠蔽する加飾印刷シート４１ｂが形成され、」との記載、及び、【請求項３】の「第１の透光性基板と、一方の面側が操作面側とされた第２の透光性基板とが絶縁層を介して対向配置され、それぞれの透光性基板の内面側に透明導電膜が形成され、該透明導電膜と接続された印刷回路が外周部が形成され、…（中略）…座標入力装置であって、前記第２の透光性基板の外面に加飾印刷シートが形成され、…（中略）…座標入力装置。」との記載を参酌すると、先願明細書には「座標入力装置（３０ｂ）は、透明ガラス基板又はプラスチック基板から構成された下側透光性基板（３２）と、一方の面側が外面（操作面）側とされ透明フィルム等の可撓性を有する材料から構成された上側透光性基板（３１）とが略環状の接着層（３６）により接合一体化され、前記上側透光性基板（３１）と前記下側透光性基板（３２）の間に空間部が設けられており、前記上側透光性基板（３１）の外面に加飾印刷シート（４１ｂ）が形成されたものであること」が記載されていると認められる。
　ウ　先願明細書の段落【００１９】の「下側透光性基板３２の内面側（上側透光性基板３１側）には、第１の透明導電膜３３が形成され、…（中略）…下側透光性基板３２の内面側の外周部には…（中略）…引出回路や該引出回路と接続された接続電極部等の下側印刷回路（第１の印刷回路）３７が形成されており、上記第１の透明導電膜３３に上記印刷回路３７が接続されている。」との記載を参酌すると、先願明細書には「前記下側透光性基板（３２）の内面側（前記上側透光性基板（３１）側）には第１の透明導電膜（３３）が形成され、前記下側透光性基板（３２）の内面側の外周部には引出回路や該引出回路と接続された接続電極部等の下側印刷回路（３７）が形成され、前記第１の透明導電膜（３３）に前記下側印刷回路（３７）が接続されていること」が記載されていると認められる。
　エ　先願明細書の段落【００２２】の「また、上側透光性基板３１の内面側の外周部には…（中略）…引出回路や該引出回路と接続された接続電極部などの上側印刷回路（第２の印刷回路）３８が形成されており、この印刷回路３８に上記第２の透明導電膜３４が接続されている。」との記載、及び、段落【００３０】の「図３に示すタッチパネル３０ｂが図１に示すタッチパネル３０と異なるところは、第２の透光性基板３１の外面側の外周部に第１と第２の印刷回路３７、３８を隠蔽する加飾印刷シート４１ｂが形成され、第２の透光性基板３１の内面側の外周部に第２の透明導電膜３３と接続された第２の印刷回路３７が形成されている点である。」（当審注：「第２の透明導電膜３３」及び「第２の印刷回路３７」は、それぞれ、「第２の透明導電膜３４」及び「第２の印刷回路３８」の誤記である。）との記載を参酌すると、先願明細書には「前記上側透光性基板（３１）の内面側（前記下側透光性基板（３２）側）には第２の透明導電膜（３４）が形成され、前記上側透光性基板（３１）の内面側の外周部には引出回路や該引出回路と接続された接続電極部等の上側印刷回路（３８）が形成され、前記上側印刷回路（３８）に前記第２の透明導電膜（３４）が接続されていること」が記載されていると認められる。
　オ　先願明細書の段落【００２４】の「印刷回路３７、３８には交互に電圧が印加され電圧が印加されていない方の印刷回路から出力される電圧を検出することにより押圧された位置の座標を検出することができる。」との記載を参酌すると、先願明細書には「下側印刷回路（３７）及び上側印刷回路（３８）に交互に電圧が印加され、電圧が印加されていない方の印刷回路から出力される電圧を検出することにより押圧された位置の座標を検出することができること」が記載されていると認められる。
　カ　先願明細書の段落【００３０】の「加飾印刷シート４１ｂは、平面視矩形のシート状フィルム４４ａ’の外周部ににスクリーン印刷、グラビア印刷、オフセット印刷等の印刷法や、転写法、あるいは蒸着法により模様、文字、マーク、絵柄等の加飾印刷層４４ｂが平面視矩形枠状に形成されたものであり、厚みが非常に薄いものである。これらシート状フィルム４４ａ’と加飾印刷層４４ｂの下面側に粘着層４４ｃが形成されている。この加飾印刷シート４１ｂが図２の加飾印刷シート４１ｂと特に異なる点は、シート状フィルムの形状が平面視矩形状であることと、粘着層４４ｃがシート状フィルム４４ａ’の下面と加飾印刷層４４ｂの下面を覆うように形成されている点である。」との記載、及び、【請求項３】の「前記第２の透光性基板の外面に加飾印刷シートが形成され、前記第１、第２の透光性基板の外周部に形成された印刷回路が前記加飾印刷シートにより隠蔽されて前記第２の透光性基板の操作面側からは視認できないようにしたことを特徴とする座標入力装置。」との記載を参酌すると、先願明細書には「前記加飾印刷シート（４１ｂ）は、平面視矩形のシート状フィルム（４４ａ’）の外周部に前記下側印刷回路（３７）及び前記上側印刷回路（３８）を隠蔽する加飾印刷層（４４ｂ）が平面視矩形枠状に形成されるとともに、前記シート状フィルム（４４ａ’）の下面と前記加飾印刷層（４４ｂ）の下面を覆うように透明性に優れた粘着層（４４ｃ）が形成されたものであること」が記載されていると認められる。
　キ　先願明細書の段落【００３１】の「第２の透光性基板３１の外面に設ける前の加飾印刷シート４１ｂは、上記粘着層側の面が支持シートに貼着されており、この支持シートを剥離後に上記粘着層側の面を第２の透光性基板３１の外面に貼り付けることで、第２の透光性基板の外面に加飾印刷シート４１ｂを形成することができる。」との記載、及び、【請求項３】の「前記第２の透光性基板の外面に加飾印刷シートが形成され、前記第１、第２の透光性基板の外周部に形成された印刷回路が前記加飾印刷シートにより隠蔽されて前記第２の透光性基板の操作面側からは視認できないようにしたことを特徴とする座標入力装置。」との記載を参酌すると、先願明細書には「前記加飾印刷シート（４１ｂ）の前記粘着層（４４ｃ）側の面を上側透光性基板（３１）の外面に貼り付けることで前記上側透光性基板（３１）の外面に前記加飾印刷シート（４１ｂ）が形成され、前記上側透光性基板（３１）側（前記上側透光性基板の操作面側）から見たときに、前記下側印刷回路（３７）及び前記上側印刷回路（３８）が加飾印刷層（４４ｂ）により隠蔽されていて視認できないようにしたこと」が記載されていると認められる。
　ク　先願明細書の段落【００２７】の「第２の透光性基板３１の外面側の平坦性が良好なタッチパネル３０が備えられているので、外面にベゼル等の枠体を設けた従来タイプのタブレットのような操作面と枠体の段差部がないので、このような段差部に起因する塵等の付着を防止できる。」との記載を参酌すると、先願明細書には「ベゼル等の枠体と前記操作面の段差部がなく、前記段差部に起因する塵等の付着を防止できること」が記載されていると認められる。
　
（２）先願発明の認定
　以上を総合すると、先願明細書には、下記の発明（以下「先願発明」という。）が記載されていると認められる。
＜先願発明＞
「　座標入力装置（３０ｂ）を前面に備えた、液晶表示ユニット（２０）を有する画像表示装置（１０）を、上部筐体（３０１ａ）の表示部に備えた電子機器（３０１）において、
　前記座標入力装置（３０ｂ）は、
　透明ガラス基板又はプラスチック基板から構成された下側透光性基板（３２）と、一方の面側が外面（操作面）側とされ透明フィルム等の可撓性を有する材料から構成された上側透光性基板（３１）とが略環状の接着層（３６）により接合一体化され、前記上側透光性基板（３１）と前記下側透光性基板（３２）の間に空間部が設けられており、前記上側透光性基板（３１）の外面に加飾印刷シート（４１ｂ）が形成され、
　前記下側透光性基板（３２）の内面側（前記上側透光性基板（３１）側）には第１の透明導電膜（３３）が形成され、前記下側透光性基板（３２）の内面側の外周部には引出回路や該引出回路と接続された接続電極部等の下側印刷回路（３７）が形成され、前記第１の透明導電膜（３３）に前記下側印刷回路（３７）が接続され、
　前記上側透光性基板（３１）の内面側（前記下側透光性基板（３２）側）には第２の透明導電膜（３４）が形成され、前記上側透光性基板（３１）の内面側の外周部には引出回路や該引出回路と接続された接続電極部等の上側印刷回路（３８）が形成され、前記上側印刷回路（３８）に前記第２の透明導電膜（３４）が接続され、
　前記下側印刷回路（３７）及び前記上側印刷回路（３８）に交互に電圧が印加され、電圧が印加されていない方の印刷回路から出力される電圧を検出することにより押圧された位置の座標を検出することができ、
　前記加飾印刷シート（４１ｂ）は、平面視矩形のシート状フィルム（４４ａ’）の外周部に前記下側印刷回路（３７）及び前記上側印刷回路（３８）を隠蔽する加飾印刷層（４４ｂ）が平面視矩形枠状に形成されるとともに、前記シート状フィルム（４４ａ’）の下面と前記加飾印刷層（４４ｂ）の下面を覆うように透明性に優れた粘着層（４４ｃ）が形成されたものであり、
　前記加飾印刷シート（４１ｂ）の前記粘着層（４４ｃ）側の面を前記上側透光性基板（３１）の外面に貼り付けることで前記上側透光性基板（３１）の外面に前記加飾印刷シート（４１ｂ）が形成され、前記上側透光性基板（３１）側（前記上側透光性基板の操作面側）から見たときに、前記下側印刷回路（３７）及び前記上側印刷回路（３８）が前記加飾印刷層（４４ｂ）により隠蔽されていて視認できないようにし、
　ベゼル等の枠体と前記操作面の段差部がなく、前記段差部に起因する塵等の付着を防止できる、
　電子機器。」
　
　
３　本願発明と先願発明の対比
（１）先願発明の発明特定事項と本願発明の発明特定事項の対応関係
　先願発明の下記の発明特定事項が本願発明における下記の発明特定事項に対応することは当業者には明らかである。
　　＜先願発明＞　　　　　　　　　　＜本願発明＞
　　座標入力装置（３０ｂ）　　　　　保護パネル（１００）
　　上部筐体（３０１ａ）　　　　　　ケーシング（１３）
　　液晶表示ユニット（２０）　　　　ディスプレイ装置（１５）
　　下側透光性基板（３２）　　　　　保護パネル本体（１）
　　上側透光性基板（３１）　　　　　透明樹脂フィルム（３）
　　シート状フィルム（４４ａ’）　　カバーフィルム（８）
　　第１の透明導電膜（３３）　　　　透明下部電極（２）
　　加飾印刷層（４４ｂ）　　　　　　加飾層（９）
　　下側印刷回路（３７）　　　　　　下部回路（５ｂ）
　　第２の透明導電膜（３４）　　　　透明上部電極（４）
　　上側印刷回路（３８）　　　　　　上部回路（５ａ）
　
（２）本願発明と先願発明の対比
　上記の対応関係を踏まえて、本願発明の発明特定事項の記載順に沿って、本願発明と先願発明を対比する。
　ア　先願発明における「前記座標入力装置（３０ｂ）は、……前記上側透光性基板（３１）の外面に加飾印刷シート（４１ｂ）が形成され、」及び「加飾印刷層（４４ｂ）が平面視矩形枠状に形成されるとともに」を、本願発明における「透明窓部（８ａ）を有する加飾層（９）が形成されている保護パネル（１００）」と対比すると、両者は「透明窓部（８ａ）を有する加飾層（９）が形成されている保護パネル（１００）」の点で一致する。
　イ　先願発明における「座標入力装置（３０ｂ）を前面に備えた、液晶表示ユニット（２０）を有する画像表示装置（１０）を、上部筐体（３０１ａ）の表示部に備えた電子機器（３０１）において」及び「ベゼル等の枠体と前記操作面の段差部がなく、前記段差部に起因する塵等の付着を防止できる」を、本願発明における「外側面が同一平面を形成するように前記保護パネルを前記外側面側から隙間なく嵌め込まれるように形成された、開口（１７）を有するパネル嵌め込み部（２２）を備えるケーシング（１３）」と対比すると、先願発明の上部筐体（３０１ａ）が開口を有することは技術常識からして明らかであり、また、段差部をなくして段差部に起因する塵等の付着を防止するという目的からして、座標入力装置（３０ｂ）と上部筐体（３０１ａ）の間に隙間がないようにすることも技術常識にすぎないから、両者は、「外側面が同一平面を形成するように前記保護パネルとの間に隙間がないように形成された、開口を有するケーシング（１３）」の点で一致する。
　ウ　先願発明における「座標入力装置（３０ｂ）を前面に備えた、液晶表示ユニット（２０）を有する画像表示装置（１０）を、上部筐体（３０１ａ）の表示部に備えた電子機器（３０１）」を、本願発明における「前記保護パネル（１００）の下側に位置し、前記透明窓部を通して外部から視認可能に配置されたディスプレイ装置（１５）」と対比すると、先願発明において、液晶表示ユニット（２０）が加飾印刷層（４４ｂ）の矩形枠の内側のところを外部から視認可能であることは当然のことであるから、両者は、「前記保護パネル（１００）の下側に位置し、前記透明窓部を通して外部から視認可能に配置されたディスプレイ装置（１５）」の点で一致する。
　エ　先願発明における「前記下側透光性基板（３２）の内面側（前記上側透光性基板（３１）側）には第１の透明導電膜（３３）が形成され、前記下側透光性基板（３２）の内面側の外周部には引出回路や該引出回路と接続された接続電極部等の下側印刷回路（３７）が形成され、前記第１の透明導電膜（３３）に前記下側印刷回路（３７）が接続され、」、「前記加飾印刷シート（４１ｂ）は、平面視矩形のシート状フィルム（４４ａ’）の外周部に前記下側印刷回路（３７）及び前記上側印刷回路（３８）を隠蔽する加飾印刷層（４４ｂ）が平面視矩形枠状に形成されるとともに」及び「前記加飾印刷シート（４１ｂ）の前記粘着層（４４ｃ）側の面を前記上側透光性基板（３１）の外面に貼り付けることで前記上側透光性基板（３１）の外面に前記加飾印刷シート（４１ｂ）が形成され、前記上側透光性基板（３１）側（前記上側透光性基板の操作面側）から見たときに、前記下側印刷回路（３７）及び前記上側印刷回路（３８）が前記加飾印刷層（４４ｂ）により隠蔽されていて視認できないようにし」を、本願発明における「透明下部電極（２）と、前記透明下部電極の周囲に前記加飾層（９）により隠蔽されるように周縁部分に設けられ、上部回路及び下部回路の端子を保護パネル本体の上面側から下面側に引き出すための貫通穴と、前記透明下部電極の周囲に前記加飾層（９）により隠蔽されるように上側表面に設けられた外部接続回路と連通する下部回路（５ｂ）とを備えた透明の保護パネル本体（１）」と対比すると、先願発明において下側印刷回路（３７）が何からの外部接続回路と連通することは技術常識からして明らかであるから、両者は、「透明下部電極（２）と、前記透明下部電極の周囲に前記加飾層（９）により隠蔽されるように上側表面に設けられた外部接続回路と連通する下部回路（５ｂ）備えた透明の保護パネル本体（１）」の点で一致する。
　オ　先願発明における「透明ガラス基板又はプラスチック基板から構成された下側透光性基板（３２）と、一方の面側が外面（操作面）側とされ透明フィルム等の可撓性を有する材料から構成された上側透光性基板（３１）とが略環状の接着層（３６）により接合一体化され、前記上側透光性基板（３１）と前記下側透光性基板（３２）の間に空間部が設けられており、前記上側透光性基板（３１）の外面に加飾印刷シート（４１ｂ）が形成され」、「前記上側透光性基板（３１）の内面側（前記下側透光性基板（３２）側）には第２の透明導電膜（３４）が形成され、前記上側透光性基板（３１）の内面側の外周部には引出回路や該引出回路と接続された接続電極部等の上側印刷回路（３８）が形成され、前記上側印刷回路（３８）に前記第２の透明導電膜（３４）が接続され」、「前記加飾印刷シート（４１ｂ）は、平面視矩形のシート状フィルム（４４ａ’）の外周部に前記下側印刷回路（３７）及び前記上側印刷回路（３８）を隠蔽する加飾印刷層（４４ｂ）が平面視矩形枠状に形成されるとともに、前記シート状フィルム（４４ａ’）の下面と前記加飾印刷層（４４ｂ）の下面を覆うように透明性に優れた粘着層（４４ｃ）が形成されたものであり」及び「前記加飾印刷シート（４１ｂ）の前記粘着層（４４ｃ）側の面を前記上側透光性基板（３１）の外面に貼り付けることで前記上側透光性基板（３１）の外面に前記加飾印刷シート（４１ｂ）が形成され、前記上側透光性基板（３１）側（前記上側透光性基板の操作面側）から見たときに、前記下側印刷回路（３７）及び前記上側印刷回路（３８）が前記加飾印刷層（４４ｂ）により隠蔽されていて視認できないようにし」を、本願発明における「前記保護パネル本体（１）の透明下部電極（２）に対向する位置に設けられた透明上部電極（４）と、前記透明上部電極の周囲に前記加飾層により隠蔽されるように設けられ、前記保護パネル本体（１）の上面側に引き回された前記外部接続回路と連通する上部回路（５ａ）とを下面に備え、周縁部が接着されて前記保護パネル本体の上側に空気層を介するように配置された透明樹脂フィルム（３）」と対比すると、先願発明において上側印刷回路（３８）が何らかの外部接続回路と連通することは技術常識からして明らかであるから、両者は、「前記保護パネル本体（１）の透明下部電極（２）に対向する位置に設けられた透明上部電極（４）と前記透明上部電極の周囲に前記加飾層により隠蔽されるように設けられ、外部接続回路と連通する上部回路（５ａ）とを下面に備え、周縁部が接着されて前記保護パネル本体の上側に空気層を介するように配置された透明フィルム（３）」の点で一致する。
　カ　先願発明における「前記加飾印刷シート（４１ｂ）は、平面視矩形のシート状フィルム（４４ａ’）の外周部に前記下側印刷回路（３７）及び前記上側印刷回路（３８）を隠蔽する加飾印刷層（４４ｂ）が平面視矩形枠状に形成されるとともに、前記シート状フィルム（４４ａ’）の下面と前記加飾印刷層（４４ｂ）の下面を覆うように透明性に優れた粘着層（４４ｃ）が形成されたものであり」及び「前記加飾印刷シート（４１ｂ）の前記粘着層（４４ｃ）側の面を前記上側透光性基板（３１）の外面に貼り付けることで前記上側透光性基板（３１）の外面に前記加飾印刷シート（４１ｂ）が形成され、前記上側透光性基板（３１）側（前記上側透光性基板の操作面側）から見たときに、前記下側印刷回路（３７）及び前記上側印刷回路（３８）が前記加飾印刷層（４４ｂ）により隠蔽されていて視認できないようにし」を、本願発明における「前記透明樹脂フィルム（３）の上面に設けられ、少なくとも一方の面に前記加飾層（９）が形成された透明樹脂製のカバーフィルム（８）」と対比すると、先願発明においてシート状フィルム（４４ａ’）が透明であることは自明であるから、両者は、「前記透明フィルム（３）の上面に設けられ、少なくとも一方の面に前記加飾層（９）が形成された透明のカバーフィルム（８）」の点で一致する。
　
（３）本願発明と先願発明の一致点及び相違点の認定
　 上記の検討を総合すると、本願発明と先願発明は、
「透明窓部（８ａ）を有する加飾層（９）が形成されている保護パネル（１００）と、
　外側面が同一平面を形成するように前記保護パネルとの間に隙間がないように形成された、開口を有するケーシング（１３）と、
　前記保護パネル（１００）の下側に位置し、前記透明窓部を通して外部から視認可能に配置されたディスプレイ装置（１５）とを備え、
　前記保護パネル（１００）は、
　透明下部電極（２）と、前記透明下部電極の周囲に前記加飾層（９）により隠蔽されるように上側表面に設けられた外部接続回路と連通する下部回路（５ｂ）備えた透明の保護パネル本体（１）と、
　前記保護パネル本体（１）の透明下部電極（２）に対向する位置に設けられた透明上部電極（４）と、前記透明上部電極の周囲に前記加飾層により隠蔽されるように設けられ、外部接続回路と連通する上部回路（５ａ）とを下面に備え、周縁部が接着されて前記保護パネル本体の上側に空気層を介するように配置された透明フィルム（３）と、
　前記透明フィルム（３）の上面に設けられ、少なくとも一方の面に前記加飾層（９）が形成された透明のカバーフィルム（８）を備える、保護パネル付き電子機器」
の点で一致し、以下の「相違点１」ないし「相違点３」の点で一応の相違があると認められる。 
　
＜相違点１＞
　本願発明の透明フィルム（３）及び透明のカバーフィルム（８）は樹脂製であるとの限定があるのに対し、先願発明の透明フィルム等の可撓性を有する材料から構成された上側透光性基板（３１）及び平面視矩形のシート状フィルム（４４ａ’）は材質が明示的に明らかにはなってはいない点。
　
＜相違点２＞
　本願発明の透明の保護パネル本体（１）は、透明下部電極の周囲に加飾層（９）により隠蔽されるように周縁部分に設けられ、上部回路及び下部回路の端子を保護パネル本体の上面側から下面側に引き出すための貫通穴を備え、前記貫通穴を介して、全ての前記下部回路及び前記上部回路の端子を前記保護パネル本体の下面側から引き出すとの特定があり、上部回路（５ａ）が連通する外部接続回路は、保護パネル本体（１）の上面側に引き回された外部接続回路であるのに対し、先願発明の下側透光性基板（３２）と、上側印刷回路（３８）が連通する外部接続回路には、そのような限定がされていない点。
　
＜相違点３＞
　本願発明のケーシング（１３）は前記保護パネルを前記外側面側から隙間なく嵌め込まれるように形成された、開口（１７）を有するパネル嵌め込み部（２２）を備えるのに対し、先願発明の上部筐体（３０１ａ）にはそのような限定がされていない点。
　
　
４　相違点についての判断
（１）相違点１について
　先願発明の「透明フィルム等の可撓性を有する材料から構成された上側透光性基板（３１）」及び「平面視矩形のシート状フィルム（４４ａ’）」は、いずれも、「座標入力装置」の可撓性電極側に形成される透明フィルムであるところ、上側透光性基板（３１）が可撓性を有するから、これに積層されるシート状フィルム（４４ａ’）も可撓性を有することは明らかである。そして、これらの材料が特に明示されていなくても、「可撓性を有するフィルム」という場合に、まず想起される材料は樹脂であるから、相違点１は実質的な相違点ではない。また、座標入力装置の可撓性電極側に形成される透明フィルムとして樹脂製のフィルムを用いることは、座標入力装置の技術分野において本願の優先日当時の技術常識である（一例として、特開平５−１１４３２９号公報（特に、段落【０００９】及び【００１６】を参照）ことからしても、相違点１は実質的な相違点ではない。
　
（２）相違点２について
　ア　相違点２の評価
　座標入力装置の下側基板（固定電極側基板）に、上部回路及び下部回路の端子を保護パネル本体の上面側から下面側に引き出すための貫通穴を設け、前記貫通穴を介して、全ての前記下部回路及び前記上部回路の端子を前記保護パネル本体の下面側から引き出すことは、座標入力装置の技術分野において本願の優先日当時の周知技術である（例えば、特開２００３−２０２９５９号公報（特に、段落【００２３】〜【００３５】及び図１〜４を参照）、特開平８−３３６８５５号公報（特に、段落【００５７】〜【００６４】及び図２を参照）、特開２００２−１０８５６６号公報（特に、段落【０００６】〜【００２３】及び図４〜９を参照）。ここで、上部回路の端子を保護パネル本体の上面側から下面側に引き出すと、上部回路が連通する外部接続回路は、保護パネル本体の上面側に引き回されたものとなる。また、本願発明においては、「貫通穴」の位置について、透明下部電極の周囲に加飾層（９）により隠蔽されるように周縁部分に設けられているとの限定があるところ、先願発明においては、下側印刷回路（３７）及び上側印刷回路（３８）が加飾印刷層（４４ｂ）により隠蔽されていて視認できないようにするのであるから、貫通穴を設ける場合に、第１の透明導電膜３３の周囲に加飾印刷層（４４ｂ）により隠蔽されるように周縁部分に設けることは当業者の当然の配慮事項である。
　以上の点を考慮すると、相違点２は、先願発明における「上部印刷回路（３８）」及び「下部印刷回路（３７）」の外部との接続の方法として本願の優先日当時において当業者に周知の技術を採用したものに限定したことにすぎず、新たな効果を奏するものではない。したがって、相違点２は微差にすぎず、実質的な相違点ということはできない。
　
　イ　請求人の主張についての検討
（ア）請求人の主張
　平成２２年２月１７日付けの拒絶理由通知書の末尾において、「本拒絶理由に対し特許請求の範囲を補正した場合には、補正後の請求項に係る発明が、平成２１年１１月２５日付けの拒絶理由通知書に記載した拒絶理由２（特許法第２９条の２）及び拒絶理由３（特許法第２９条第２項）を解消している理由についても、意見書で説明して下さい。」と伝えたところ、平成２２年４月２６日付け意見書において、請求人は、今回の拒絶理由に対して特許請求の範囲を補正したが実質的に内容が大きく変わるものではないから、平成２１年１１月２５日付けの拒絶理由通知書に対して提出した、平成２２年１月２９日付けの意見書の内容を参照して欲しい旨の回答をしている。
　そこで、平成２２年１月２９日付けの意見書を参酌すると、請求人は「前記加飾層（９）により隠蔽された前記保護パネル本体の前記周縁部分の前記貫通穴を介して、全ての前記下部回路及び前記上部回路の端子を前記保護パネル本体から引き出す」こと、すなわち、複数の引き回し回路から外部への複数の接続端子を一箇所に集めたのち、一箇所に集められた複数の接続端子を１つの集合体として外部に取り出すための貫通孔を透明の保護パネル本体（１）に備え、かつ、その貫通孔を加飾層（９）で隠蔽すること（明細書の段落番号００６７など、図２及び図３など参照）については、周知技術を例示するために挙げた文献には全く開示も示唆もされていない旨主張している。
　
（イ）請求人の主張についての検討
　請求人は、本願発明の発明特定事項である「前記保護パネル本体の前記周縁部分の前記貫通穴を介して、全ての前記下部回路及び前記上部回路の端子を前記保護パネル本体の下面側から引き出す」ことを「複数の引き回し回路から外部への複数の接続端子を一箇所に集めたのち、一箇所に集められた複数の接続端子を１つの集合体として外部に取り出すための貫通孔を透明の保護パネル本体（１）に備え」と言い換えているが、請求項１には、このような言い換えた事項、すなわち、一箇所に集められた複数の接続端子を１つの集合体として（一つの貫通穴から）外部に取り出すことは記載されていない。
　また、明細書の段落【００６７】の「また、フィルムコネクタ１８を用いずに、保護パネル本体１の周縁部分に貫通穴を開けて全ての回路５ａ，５ｂの端子を保護パネル本体１の背面に引き出してもよい。この場合、保護パネル本体の下面に回路５ａ，５ｂの端子が配置されることとなるので、例えば、当該保護パネル側の端子（回路５ａ，５ｂの端子を保護パネル本体１の背面に引き出すための回路（接続回路）によって、回路５ａ，５ｂの端子を当該接続回路の先端まで延長させるように保護パネル本体１から引き出した端子）と接触する別の端子を、ケーシングの凹部２２の保護パネルを支持する底面に設けることが好ましい。」との記載及び明細書のその他の記載並びに図面を参酌しても、一箇所に集められた複数の接続端子を１つの集合体として一つの貫通穴から外部に取り出すことは記載されていない。さらに、本願の優先日当時において、タッチパネルにおいて、下側基板に複数の貫通穴を設け、上下の電極の接続端子をそれぞれ別の貫通穴から外部に取り出すことが周知の技術であったことにかんがみると、本願明細書の段落【００６７】の記載を本願の優先日当時において当業者が客観的に読んだ場合には、貫通穴は１つではなく、複数であると考えるのが通常であると認められる。したがって、請求項に記載されていない事項を含めて本願発明を認定しなければならない特段の事情は認められないが、仮にそのような事情があったとしても、請求人が言い換えた技術事項は本願の明細書の記載からは把握できない事項であるから、本願発明の発明特定事項として認定することはできない。
　したがって、請求人の主張は、請求項の記載に基づかない主張であるから、採用することができない。
　なお、仮に請求項の記載において、一箇所に集められた複数の接続端子を１つの集合体として一つの貫通穴から外部に取り出すことが記載されたとしても、当該事項は、特開平１１−２５１７０２号公報、特開平９−１０２６５７号公報、特開平６−２８３８３５号公報、特開平７−２０２４２１号公報及び実願平１−１４０７８０号（実開平３−７９４８０号）のマイクロフィルム等に開示されているように、配線技術としての技術常識にすぎないから、実質的な相違点ということはできない。
　
（３）相違点３について
　先願発明の座標入力装置（３０ｂ）は、画像表示装置の保護パネルとしての機能及び表示窓としての機能を有しているところ、外側面が同一平面を形成するように保護パネルや表示窓を外側面側から隙間なく嵌め込まれるように形成された開口を有するパネル嵌め込み部をケーシングが備えることは、保護パネルや表示パネルが付いた表示装置を備えた電子機器の技術分野において、本願の優先日当時の周知技術である（例えば、実願平２−１１５１３９号（実開平４−７２２２２号）のマイクロフィルム（明細書の第２頁第５行〜第３頁第４行、第３図）、特開平１０−１４３０７８号公報（特に、段落【００１３】、図１〜４）、特開２００３−１５００６６号公報（特に、前側カバー２３の段差部２９にタッチパネル２６の縁部が嵌合され、タッチパネル２６前側カバー２３の段差部２８とタッチパネル２６の表面が面一となる点（段落【００１３】、図５））を参照）。したがって、相違点３は、本願の優先日当時における周知の技術を適用したものにすぎず、新たな効果を奏するものではないから、相違点３は微差にすぎず、実質的な相違点ということはできない。
　
（４）相違点についての判断の小括
　以上のとおりであるから、本願発明は先願発明と実質的に同一である。
　
　５　本願発明と先願発明についての発明者及び出願人の関係
　本願発明の発明者が先願発明の発明者と同一であるとも、また、本願の出願時に、その出願人が上記先願の出願人と同一であるとも認められない。
　
　６　特許法第２９条の２の要件についてのまとめ
　以上検討のとおり、本願発明は先願明細書に記載された発明と実質的に同一であり、かつ、本願発明の発明者が先願明細書に記載された発明の発明者と同一であるとも、また、本願の出願時に、その出願人が上記他の出願の出願人と同一であるとも認められないから、本願発明は特許法第２９条の２の規定により特許を受けることができない。
　
　
第４　特許法第２９条第２項の要件について
１　刊行物及び刊行物の記載事項
（１）引用例１及び引用例１の記載事項
　平成２２年２月１７日付けの拒絶理由通知書で引用した、本願の優先日前に頒布された刊行物である特開平７−３０６７４８号公報（以下「引用例１」という。）には、図面とともに、以下の事項が記載されている（当審注：下記「２　引用発明の認定」において特に関連する箇所に下線を引いた。）。　 
　ア　【特許請求の範囲】の欄
「【請求項２】 
液晶表示パネルにペン入力面となる表面板を備えたペン入力電子機器において、表面板は弾性を有する合成樹脂から成り、そのペンと接触しない面は防眩処理され且つ表面板のペンと接触する側の面に取着された感圧シートタブレットのペンと接触する面が書き味調整用処理を施されたことを特徴とするペン入力電子機器。
 【請求項３】 表面板と液晶表示パネルとの間に隙間を設けたことを特徴とする請求項１または請求項２のいずれか１項に記載のペン入力電子機器。　
 【請求項４】 
表面板のペンと接触する側の面と筐体窓枠の間に段差がないことを特徴とする請求項１または請求項２のいずれか１項に記載のペン入力電子機器。
　
　イ　段落【０００１】〜【００１５】
「【０００１】
【産業上の利用分野】本発明は、ペン入力ができるペン入力電子機器に係り、特にペン入力を行なう画面部分において、品質，操作性ならびに耐久性が確保されたペン入力電子機器に関する。
【０００２】
【従来の技術】従来のペン入力電子機器においては、液晶パネル（以下、ＬＣＤパネルと称す）の外側にペン入力面となる表面板が設けられているが、図３（ａ）に示すように表面板１がガラス板２の上面に感圧シートタブレット３を貼り付けたものや、図３（ｂ）に示すように、表面板１がガラス板２の下面に電磁タブレット４をコーティングまたは貼り合わせたものを採用している。
【０００３】また、実装構造は、図４（ａ），（ｂ）に示すように、表面板１を筐体窓枠５の下に取り付けている。このため、筐体の窓枠上面６から一段落ち込んだ所に表面板１の上面１ａがあり、さらに、この表面板１は、内側にあるＬＣＤパネル７と密着している構造になっている。
【０００４】
【発明が解決しようとする課題】図３（ａ）に示す表面板の場合、表面板１の上側が位置検出用の感圧シートタブレット３で上表面の防眩処理がなされておらず、画面の表示が見にくい。あるいは、防眩処理が施されていても、種類が少なく、程度もあまり良くないのが一般的である。
【０００５】図３（ｂ）に示す表面板の場合、上表面がガラス板２で防眩処理がされていないか処理が弱く、また、ペン８が滑り易く、書きにくい。
【０００６】図３（ａ）および図３（ｂ）の両者とも、ガラス板２を母材としているため、ペン８で書いたときのタッチ感が固く、長時間書いていると疲れる。さらに、ガラス板２は割れて飛散する危険性がある。
【０００７】また、図４（ａ），（ｂ）に示す構造の場合、筆圧や腕の荷重が直接ＬＣＤパネル７等の機能部材に作用する。さらに、表面板１が撓んでＬＣＤパネル７の中央部に力が加わり、ＬＣＤ内部のスペーサの偏りによる色むら等、ダメージを与える恐れがある。また、表面板１の上面１ａと筐体の窓枠上面６との間に段差があり、ペン入力時に端まで来ると、この段差にペン８を持つ手が乗り上げ、書きづらくなる。
【０００８】そこで本発明は、上記の諸欠点をなくし、操作性，耐久性が良好で、違和感なくペン入力ができるペン入力電子機器を提供することを目的とする。
…（中略）…
【００１０】また、本発明のペン入力電子機器は、ＬＣＤパネルのペン入力面となる表面板は弾性を有する合成樹脂から成り、そのペンと接触しない面は防眩処理され且つ表面板のペンと接触する側の面に取着された感圧シートタブレットのペンと接触する面が書き味調整用処理を施されたことを特徴とする。
【００１１】また、上記の各ペン入力電子機器は、表面板とＬＣＤパネルとの間に隙間を設けたことを特徴とし、さらに、表面板のペンと接触する側の面と筐体窓枠の間に段差がないことを特徴とする。
【００１２】
【作用】本発明のペン入力電子機器においては、表面板が弾性を有する合成樹脂で形成されているため、ペンで書いたときの感触が柔らかく、ガラスのものに比べて割れにくく、もし割れても破片があまり危険でなく、また飛散しない。さらに、樹脂板なので防眩処理が容易に安価にでき、選択の種類も多い。
【００１３】表面板の両面に防眩処理を施すことにより、外光によるぎらつきが防止され、ＬＣＤパネル画面の表示が見易くなるとともに、表面板とＬＣＤパネルとの間の隙間に起因するニュートンリング（外光による干渉縞）の発生が防止され、ＬＣＤパネル画面の表示が見易くなる。また、表面板や感圧シートタブレットのペンと接触する側の面に書き味調整用処理を施したことにより、ペンが滑りにくくなり、書き味が良くなる。
【００１４】また、表面板とＬＣＤパネル上面の間に隙間を設けたことにより、ペンで書いたときの感触が柔かくなり、また、筆圧，腕の荷重がＬＣＤパネルに加わらず、たとえ表面板が撓んだとしても、ＬＣＤパネルに接触しにくくなる。また、水分の吸着によるニュートンリング（干渉縞）の発生が防止される。
【００１５】表面板のペンと接触する側の面と筐体窓枠の間に段差をなくしたことにより、ペンで文字などを入力しているとき、端まで来たとき手が段に乗り上げて書きづらくなるということがなくなる。」 
　
　ウ　段落【００１６】〜【００２６】
「【００１６】
【実施例】以下、図面に示した実施例に基いて本発明を詳細に説明する。
【００１７】図１（ａ），（ｂ）に本発明の一実施例のペン入力電子機器の構成を示す。図１（ａ）に示すように、ペン入力面となる表面板１１は、弾性を有する合成樹脂、例えば透明なアクリルから成り、そのペンと接触する側の面１１ａおよびペンと接触しない面１１ｂに防眩処理が施され、且つペンと接触する側の面１１ａにザラツキを持たせた書き味調整用処理が施されている。そして、
この表面板１１は、電子機器の筐体１２の表面板１１板厚にほぼ等しい段差部１３ａを有する筐体窓枠１３の上に取り付けられている。したがって、表面板１１のペンと接触する側の面１１ａと筐体窓枠１３の上面１３ｂの間に段差がなく、図１（ｂ）に示すように平坦な形状となる。
【００１８】
ＬＣＤパネル７は、その下面７ｂに非接触方式タブレット、例えば電磁タブレット４がコーティングまたは貼り合わせによって取着されており、筐体窓枠１３の下面に取り付けられている。したがって、表面板１１のペンと接触しない面１１ｂとＬＣＤパネル７の上面７ａの間には隙間１４が形成されている。
【００１９】上記のように構成された本発明一実施例のペン入力電子機器においては、表面板１１が弾性に富む合成樹脂、例えばアクリルで形成されているため、ペン８で書いたときの感触が柔らかく、ガラスのものに比べて割れにくく、もし割れても破片があまり危険でなく、また飛散しない。さらに、合成樹脂板なので防眩処理が容易に安価にでき、選択の種類も多い。
【００２０】また、表面板１１のペンと接触する側の面１１ａに防眩処理を施してあるため、外光によるぎらつきが防止され、ＬＣＤパネル７の画面の表示が見易くなる。また、表面板１１のペンと接触する側の面１１ａにザラツキを持たせた書き味調整用処理を施してあるため、ペン８が滑りにくくなり、書き味が良くなる。さらに、表面板１１のペンと接触しない面１１ｂに防眩処理を施してあるため、表面板１１のペンと接触しない面１１ｂとＬＣＤパネル７の上面７ａとの隙間１４に起因するニュートンリング（外光による干渉縞）の発生が防止され、ＬＣＤパネル７の画面の表示が見易くなる。
【００２１】表面板１１のペンと接触しない面１１ｂとＬＣＤパネル上面７ａの間に隙間１４を設けたので、ペン８で書いたときの感触が柔かくなり、また、筆圧，腕の荷重等がＬＣＤパネル７に加わらず、たとえ表面板１１が撓んだとしても、ＬＣＤパネル７に接触しにくくなる。また、水分の吸着によるニュートンリング（干渉縞）の発生が防止される。【００２２】表面板１１のペンと接触する側の面１１ａと筐体窓枠１３の上面１３ｂとの間に段差がない構造にしたので、ペンで文字などを入力しているとき、端まで来ても手が段に乗り上げて書きづらくなるということがなくなる。
【００２３】次に、本発明の他の実施例を図２を参照して説明する。
【００２４】
この実施例のペン入力電子機器は、図２に示すように、筐体窓枠１３への表面板１１およびＬＣＤパネル７の取り付け構造は、図１の実施例と同様であるが、位置検出用の感圧シートタブレット３が、アクリルなど合成樹脂で作られた表面板１１のペンと接触する側の面１１ａに貼り付けられている場合である。
【００２５】この場合は、表面板１１はそのペンと接触しない面１１ｂのみ防眩処理を施され、感圧シートタブレット３のペンと接触する側の面３ａにザラツキを持たせた書き味調整用処理が施されていることを特徴とする。
【００２６】この構成のペン入力電子機器においては、ペン８で書いたときの感触が柔い、割れにくい、防眩処理が容易且安価、表面板１１のペンと接触しない面１１ｂの防眩処理によりＬＣＤパネル７との隙間１４に起因するニュートンリングの発生が防止されること、感圧シートタブレット３のペンと接触する側の面３ａに施した書き味調整用処理によってペンによる書き味が良く且つ外光によるぎらつきも防止されて表示が見易い、表勘板１１とＬＣＤパネル７間の隙間１４による書き味の柔かさ，ＬＣＤパネル７への筆圧等の荷重不伝達，水分吸着に起因するニュートンリング発生の回避、表面板１１の感圧シートタブレット３のペンと接触する側の面３ａと筐体窓枠１３の上面１３ｂとの間に段差がなく、ペン入力時に端で手が段に乗り上げて書きづらくなることがない、等の効果を得ることができる。」
　
　エ　【図１】〜【図４】
　【図１】〜【図４】にはそれぞれ下記のことが図示されている。
　【図１】　本発明の一実施例のペン入力電子機器の要部の（ａ）断面図及び（ｂ）斜視図
　【図２】　本発明の他の実施例のペン入力電子機器の構成を示す要部断面図
　【図３】　従来例の表面板
　【図４】　従来例のペン入力電子機器の要部の（ａ）断面図及びｂ）斜視図
　
（２）引用例２及び引用例２の記載事項
　平成２２年２月１７日付けの拒絶理由通知書で引用した、本願の優先日前に頒布された刊行物である特開２０００−３１１０５９号公報（以下「引用例２」という。）には、図面とともに、以下の事項が記載されている。
　ア　段落【０００１】
「【０００１】 
 【発明の属する技術分野】本発明はノートパソコンや液晶モニターなどに接続されるタブレット入力装置に関する。」 
　
　イ　【００１４】〜【００１８】
「【００１４】
【実施例】図１は、本発明のタブレット入力装置を汎用液晶ディスプレイと組合せた場合を示す正面図である。同図に示すようにタブレット入力装置（以後入力部と書く）１２は、汎用液晶ディスプレイの画面と略等サイズの検出部１ａをもつ透明なタッチパネル本体１とそれを固定する透明な支持体２、そしてその支持体２の背面にとりつけられた薄手の固定用部材３を備えた構成からなる。
【００１５】タブレット入力装置１２は、図２に示すように液晶ディスプレイ８の前面に装着して画面操作を行ったり、また図６に示すようなディスプレイ８周辺の机上に直接載置してペン入力をしたりするなど二通りの使用方法が可能である。
【００１６】前記支持体２は、図１に示すように液晶ディスプレイ８の全体を覆うような寸法に作成せず、支持体２のサイズを縦方向はタッチパネル本体１と等しく、横方向は固定用部材３や保護カバー４などを取り付けるのに最小限必要な寸法にすることで、同サイズが小さく抑えられ、図２のように画面サイズの大きなノートパソコン８の狭い画面枠の場合でもロック８ａやストッパー８ｂに引っかかることなく装着できる。
【００１７】また各サイズへ対応して製作する場合も、変更必要な寸法はタッチパネル本体１と支持体２の設計のみであるため、比較的容易に低コストで可能になる。タッチパネル本体１のサイズは、ノート型パソコン等の汎用ディスプレイと同サイズ、例えば対角線長が１２．１インチのサイズとしてある。タッチパネル本体１は公知のアナログ抵抗膜式のタッチパネルでその構成と検出原理は特開平１０−１１１７４８号等に詳しく、既に公知なのでこれ以上の説明は省略する。
【００１８】図３又は図４に示すように、前記タッチパネル本体１は実際には支持体２のタッチパネル貼り付け部２ａの上に接着剤や粘着テープ等で全面接着される。またタッチパネル本体１の配線部分は例えば着色テープや印刷などで表から見えないような加工を行う。」
　
　ウ　【図１】〜【図７】
　【図１】〜【図４】にはそれぞれ下記のことが図示されている。
　【図１】　本発明のタブレット入力装置の形態を示す正面図
　【図２】　タブレット入力装置をノートパソコンのディスプレイ前に装着した説明図
　【図３】　図１のＡ１―Ａ１’断面図
　【図４】　図１のＡ２―Ａ２’断面図
　【図５】　タブレット入力装置とノートパソコンの接続方法説明図
　【図６】　タブレット入力装置をパソコンの横に載置しての使用説明図
　【図７】　タブレット入力装置をパソコンの横に載置して使用する際に使用する枠体の説明図
　
（３）引用例３及び引用例３の記載事項
　平成２２年２月１７日付けの拒絶理由通知書で引用した、本件出願の優先日前に頒布された刊行物である特開平５−１１４３２９号公報（以下「引用例３」という。）には、図面とともに、下記の事項が記載されている。　
　ア　【特許請求の範囲の欄】
「【請求項１】 一方の面に透明な可動電極が形成され他方の面にハードコート層が形成された可動電極支持フィルムと、透明な固定電極が形成された固定電極支持板とが、スペーサーによってわずかな間隔で隔てられ、両電極が対向するように重ね合わさている透明タッチパネルにおいて、可動電極支持フィルムが、二枚の透明フィルム間に表示柄層および接着層を設けたものであることを特徴とする表示柄付き透明タッチパネル。」
　
　イ　段落【０００１】
「【０００１】
 【産業上の利用分野】本発明は、表示柄およびディスプレイ画面の視認性に優れ、表示柄が形状自在に形成された表示柄付き透明タッチパネルに関するものである。」
　
　ウ　段落【０００７】〜【００１８】
「【０００７】
【課題を解決するための手段】上記の目的を達成するために、本発明の表示柄透明タッチパネルは、一方の面に透明な可動電極が形成され他方の面にハードコート層が形成された可動電極支持フィルムと、透明な固定電極が形成された固定電極支持板とが、スペーサーによってわずかな間隔で隔てられ、両電極が対向するように重ね合わさている透明タッチパネルにおいて、可動電極支持フィルムが、二枚の透明フィルム間に表示柄層および接着層を設けるように構成した。
【０００８】以下、図面を参照しながら本発明についてさらに詳しく説明する。図１は本発明の表示柄透明タッチパネルの一実施例を示す断面図、図２は本発明の表示柄透明タッチパネルの他の実施例を示す断面図である。１は可動電極、２はハードコート層、３は可動電極支持フィルム、４は固定電極、５は固定電極支持板、６はスペーサー、７は表示柄層、８は透明フィルム、９接着層をそれぞれ示す。
【０００９】可動電極支持フィルム３は、二枚の透明フィルム８間に表示柄層７と接着層９を設けたものである。透明フィルム８としては、ポリエステルフィルムなどのプラスチックフィルムが用いられる。表示柄層７は、樹脂バインダー中に適切な色の染顔料を含有する着色インキを用いて所望のパターンに形成される。樹脂バインダーとしては、ポリエステル樹脂などが好ましい。表示柄層７の形成方法としては、スクリーン印刷法がある。接着層９としては、アクリル系粘着剤があり、二枚の透明フィルム８を全面接着させる。接着層９の形成方法としてはロールコート法がある。可動電極支持フィルム３は、図１に示すように表示柄層７と接着層９のうち接着層９に近い側に可動電極１が形成されてもよいし、図２に示すように表示柄層７と接着層９のうち表示柄層７に近い側に可動電極１が形成されてもよい。
【００１０】可動電極支持フィルム３の作製法は、二枚の透明フィルム間に表示柄層および接着層が設けらた構成であればとくに限定しないが、たとえば、一方の面に接着層８が全面形成され他方の面に透明な可動電極１が形成された透明フィルム８と、一方の面に表示柄層７が形成され他方の面にハードコート層２が形成された透明フィルム８とを貼り合わせることができる。
【００１１】固定電極支持板５としては、透明フィルムも用いられるがガラス板を用いることが多い。
【００１２】可動電極１および固定電極４としては、通常の透明タッチパネルに使用される金、酸化錫、またはITO（インジウム・チン・オキサイド）などの透明導電膜材料が用いられる。両電極１・４は、蒸着、スパッタリング、イオンプレーティングなどにより透明タッチパネルの設計に応じて種々のパターンに形成される。
【００１３】ハードコート層２としては、通常の透明タッチパネルに使用されるシロキサン、アクリル、エポキシなどの樹脂が用いられる。
【００１４】スペーサー６は、フォトプロセス法や印刷法などによって、通常の方法で図１および図２に示すように固定電極４上に形成されるほかに、可動電極１上に形成されてもよく、あるいは電極１・４以外の場所に形成されてもよい。
【００１５】なお、可動電極支持フィルム３と固定電極支持板５とは、その電極面周縁部分に塗布された接着剤により固定されている。
【００１６】
【実施例】厚さ25μmの長尺のポリエステルフィルムを透明フィルム８として用い、その一方の面にITOをスパッタリングした後パターニングして可動電極１を形成したのち、フィルムの他方の面にアクリル系粘着剤をロールコーター法で30μm厚さに全面コートして接着層９を形成した。次に、厚さ125μmの長尺のポリエステルフィルムを透明フィルム８として用い、その一方の面にロールスクリーン印刷機で所要の表示柄層７を形成し、フィルムの他方の面にシロキサンをハードコート処理を施してハードコート層２を形成し、先の粘着剤コートしたフィルムと表示柄層７側が接着されるようにロールラミネーターで貼り合わせた。
【００１７】その後、取り扱い単位サイズに裁断し、引き回し回路の形成を行ない、製品一個の単位に打ち抜いた。別途にITOを用いて固定電極４が形成された厚さ1.1mmのガラス板と上記の貼り合わされたフィルムとを、両電極１・４が対向するように重ね合わせ周縁部分を接着剤で固定して表示柄付き透明タッチパネルを作製した。
【００１８】この表示柄付き透明タッチパネルは、表示柄が形状自在に形成され、パネルをディスプレイ上に配置し入力装置として使用したところ、表示柄１０およびディスプレイの視認性に優れていた。」
　
　エ　【図１】〜【図５】
　【図１】〜【図５】にはそれぞれ下記のことが図示されている。
　【図１】　本発明の表示柄付き透明タッチパネルの一実施例を示す断面図
　【図２】　本発明の表示柄付き透明タッチパネルの他の実施例を示す断面図
　【図３】　表示柄の一実施例を示す平面図
　【図４】　従来の表示柄層が透明タッチパネルに設けられた状態を示す断面図
　【図５】　従来の表示柄層が透明タッチパネルに設けられた状態を示す断面図
　
２　引用発明の認定
　引用例１の【図２】に記載されたものに対応する発明について、引用例１の段落【００２４】の「この実施例のペン入力電子機器は、図２に示すように、筐体窓枠１３への表面板１１およびＬＣＤパネル７の取り付け構造は、図１の実施例と同様であるが、位置検出用の感圧シートタブレット３が、アクリルなど合成樹脂で作られた表面板１１のペンと接触する側の面１１ａに貼り付けられている場合である。」との記載に留意して検討する。
　ア　引用例１の【請求項２】の「液晶表示パネルにペン入力面となる表面板を備えたペン入力電子機器において、表面板は弾性を有する合成樹脂から成り、……ペン入力電子機器。」との記載を参酌すると、引用例１には「液晶表示パネルにペン入力面となる表面板を備えたペン入力電子機器において、前記表面板は弾性を有する合成樹脂から成ること」が記載されていると認められる。
　イ　引用例１の【請求項４】の「表面板のペンと接触する側の面と筐体窓枠の間に段差がないことを特徴とする請求項１または請求項２のいずれか１項に記載のペン入力電子機器。」との記載、及び、段落【００１７】の「この表面板１１は、電子機器の筐体１２の表面板１１板厚にほぼ等しい段差部１３ａを有する筐体窓枠１３の上に取り付けられている。したがって、表面板１１のペンと接触する側の面１１ａと筐体窓枠１３の上面１３ｂの間に段差がなく、図１（ｂ）に示すように平坦な形状となる。」との記載を参酌すると、引用例１には「前記表面板は、前記電子機器の筐体の前記表面板の板厚にほぼ等しい段差部を有する筐体窓枠の上に取り付けられ、前記表面板のペンと接触する側の面と前記筐体窓枠の間に段差がないこと」が記載されていると認められる。
　ウ　引用例１の段落【００１８】の「ＬＣＤパネル７は、その下面７ｂに非接触方式タブレット、例えば電磁タブレット４がコーティングまたは貼り合わせによって取着されており、筐体窓枠１３の下面に取り付けられている。したがって、表面板１１のペンと接触しない面１１ｂとＬＣＤパネル７の上面７ａの間には隙間１４が形成されている。」との記載を参酌すると、引用例１には「前記液晶表示パネルは前記筐体窓枠の下面に取り付けられていること」が記載されていると認められる。
　エ　以上を総合すると、引用例１には下記の発明（以下「引用発明」という。）が記載されていると認められる。
＜引用発明＞
「液晶表示パネルにペン入力面となる表面板を備えたペン入力電子機器において、
　前記表面板は弾性を有する合成樹脂から成り、
　前記表面板は、前記電子機器の筐体の前記表面板の板厚にほぼ等しい段差部を有する筐体窓枠の上に取り付けられ、前記表面板のペンと接触する側の面と前記筐体窓枠の間に段差がなく、
　前記液晶表示パネルは前記筐体窓枠の下面に取り付けられている、
　ペン入力電子機器。」
　
３　本願発明と引用発明の対比
（１）本願発明の発明特定事項と引用発明の発明特定事項の比較検討
　以下、本願発明の発明特定事項と引用発明の発明特定事項を技術常識を踏まえて比較し、一致点を検討する。
　ア　引用発明の「感圧シートタブレット」が「取着された」「表面板」は、「液晶表示パネル」の視認側に形成されているから、引用発明の「感圧シートタブレット」が「取着された」「表面板」は、「液晶表示パネル」を保護する機能を有していると認めることができる。したがって、引用発明の「感圧シートタブレット」が「取着された」「表面板」と、本願発明の「透明窓部（８ａ）を有する加飾層（９）が形成されている保護パネル（１００）」は、「保護パネル（１００）」の点で一致する。 
　イ　引用発明の「表面板の板厚にほぼ等しい段差部を有」し、「前記表面板のペンと接触する側の面と前記筐体窓枠の間に段差がな」いように「前記表面板」を「上に取り付け」る「筐体窓枠」と、本願発明の「外側面が同一平面を形成するように前記保護パネルを前記外側面側から隙間なく嵌め込まれるように形成された、開口（１７）を有するパネル嵌め込み部（２２）を備えるケーシング（１３）」は、「外側面が同一平面を形成するように前記保護パネルを前記外側面側から組み付けられるように形成された、開口（１７）を有するパネル嵌め込み部（２２）を備えるケーシング（１３）」の点で一致する。
　ウ　引用発明の「表面板」は「前記電子機器の筐体の前記表面板の板厚にほぼ等しい段差部を有する筐体窓枠の上に取り付けられ」ているのに対し、引用発明の「液晶表示パネル」は「前記筐体窓枠の下面に取り付けられ」ているから、引用発明の「液晶表示パネル」は「表面板」の下側に位置することは明らかである。また、引用発明の「液晶表示パネル」が、「感圧シートタブレット」が「取着された」「表面板」を通して外部から視認可能に配置されていることは明らかである。したがって、引用発明の「表面板」の下側に位置し、前記「表面板」を通して外部から視認可能に配置された「液晶表示パネル」と、本願発明の「前記保護パネル（１００）の下側に位置し、前記透明窓部を通して外部から視認可能に配置されたディスプレイ装置（１５）」は、「前記保護パネル（１００）の下側に位置し、前記保護パネル（１００）を通して外部から視認可能に配置されたディスプレイ装置（１５）」の点で一致する。
　
（２）本願発明と引用発明の一致点及び相違点の認定
　以上の検討を踏まえて、本願発明と引用発明を対比すると、両者は、
「保護パネル（１００）と、
　外側面が同一平面を形成するように前記保護パネルを前記外側面側から組み付けられるように形成された、開口（１７）を有するパネル嵌め込み部（２２）を備えるケーシング（１３）と、
　前記保護パネル（１００）の下側に位置し、前記保護パネル（１００）を通して外部から視認可能に配置されたディスプレイ装置（１５）とを備える、保護パネル付き電子機器」
の点で一致し、以下の相違点１及び相違点２において相違すると認められる。
＜相違点１＞
　本願発明の「保護パネル（１００）」は、「透明下部電極（２）と、前記透明下部電極の周囲に前記加飾層（９）により隠蔽されるように周辺部分に設けられ、上部回路及び下部回路の端子を保護パネル本体の上面側から下面側に引き出すための貫通穴と、前記透明下部電極の周囲に前記加飾層（９）により隠蔽されるように上側表面に設けられた外部接続回路と連通する下部回路（５ｂ）とを備えた透明の保護パネル本体（１）」と、「前記保護パネル本体（１）の透明下部電極（２）に対向する位置に設けられた透明上部電極（４）と前記透明上部電極の周囲に前記加飾層により隠蔽されるように設けられ、前記前記保護パネル本体（１）の上面側に引き回された前記外部接続回路と連通する上部回路（５ａ）とを下面に備え、周縁部が接着されて前記保護パネル本体の上側に空気層を介するように配置された透明樹脂フィルム（３）」と、「前記透明樹脂フィルム（３）の上面に設けられ、少なくとも一方の面に前記加飾層（９）が形成された透明樹脂製のカバーフィルム（８）」を備え、「前記加飾層（９）により隠蔽された前記保護パネル本体の前記周縁部分の前記貫通穴を介して、全ての前記下部回路及び前記上部回路の端子を前記保護パネル本体の下面側から引き出す」のに対し、引用発明の「感圧シートタブレット」が「取着された」「表面板」にはそのような限定がない点。
　
＜相違点２＞
　本願発明の「ケーシング（１３）」の「パネル嵌め込み部（２２）」は「保護パネルを」「外側面側から隙間なく嵌め込まれるように形成され」ているのに対し、引用発明の「筐体窓枠」の「段差部」にはそのような限定がない点。
　
４　相違点についての判断
（１）相違点１について
 ア　感圧シートタブレットとして、固定電極が形成される下側透明基板と、可撓性電極が形成される上側可撓性透明基板とを空気層を介して周縁部を接着するとともに、前記下側透明基板及び前記上側可撓性透明基板の周囲に外部接続回路と連通する引き回し配線やバスバー電極が形成されたものは、本願の優先日当時における技術常識である（例えば、特開２００１−２１６０９０号公報（特に図２）参照）から、引用発明の「感圧シートタブレット」にこのようなものが含まれることは明らかである。
　そして、座標入力装置の下側基板（固定電極側基板）に、上部回路及び下部回路の端子を保護パネル本体の上面側から下面側に引き出すための貫通穴を設け、前記貫通穴を介して、全ての前記下部回路及び前記上部回路の端子を前記保護パネル本体の下面側から引き出すことは、座標入力装置の技術分野において本願の優先日当時の周知技術である（例えば、特開２００３−２０２９５９号公報（特に、段落【００２３】〜【００３５】及び図１〜４を参照）、特開平８−３３６８５５号公報（特に、段落【００５７】〜【００６４】及び図２を参照）、特開２００２−１０８５６６号公報（特に、段落【０００６】〜【００２３】及び図４〜９を参照）。ここで、上部回路の端子を保護パネル本体の上面側から下面側に引き出すと、上部回路が連通する外部接続回路は、保護パネル本体の上面側に引き回されたものとなる。
　そうすると、引用発明の「感圧シートタブレット」を、固定電極が形成される下側透明基板と、可撓性電極が形成される上側可撓性透明基板とを空気層を介して周縁部を接着するものとし、前記下側透明基板及び前記上側可撓性透明基板に外部接続回路と連通する引き回し配線やバスバー電極が形成されたものとし、下側基板（固定電極側基板）に、前記下側透明基板及び前記上側可撓性透明基板の引き回し配線の端子を下側透明基板の上面側から下面側に引き出すための貫通穴を設け、上側基板（可撓性電極が形成された基板）の周囲に設けられた引き回し配線と連通する外部接続回路を下側透明基板の上面側に引き回されたものとし、貫通穴を介して、前記下側透明基板及び前記上側可撓性透明基板の引き回し配線の全ての端子を下側透明基板の下面側から引き出すようにすることは、当業者が適宜なし得た事項であると認められる。
　イ　引用例２に、液晶ディスプレイの前面に装着されるタッチパネルにおいて、タッチパネルの配線部分を着色テープや印刷などで表から見えないようにすることが記載されているように、見栄えを良くするために、配線等を隠蔽するように着色層を設けることは、当業者にとっては適宜なし得る設計事項にすぎない。そして、引用例３には、タッチパネルの一部に着色層を形成する手段として、着色層が形成された透明樹脂フィルムを、前記着色層が可動電極側に向くようにして、前記可動電極が形成された透明樹脂フィルムの上に形成することが記載されている（当審注：技術常識を踏まえれば、引用例３の「表示柄層」が着色層を含むことは明らかである。）。してみれば、引用発明において、引き回し配線、バスバー電極及び貫通穴を有する感圧シートタブレットを採用するに際して、引き回し配線、バスバー電極及び貫通穴を表から見えないようにするために、これらを隠蔽するための着色層が形成された透明樹脂フィルムを上側可撓性透明基板に形成することは、当業者にとって発想の飛躍を要することではなく、当業者が適宜なし得たことであると認められる。
　ウ　上記の「第２」の「４」の「（２）」の「イ　請求人の主張についての検討」において述べたように、請求人は「前記加飾層（９）により隠蔽された前記保護パネル本体の前記周縁部分の前記貫通穴を介して、全ての前記下部回路及び前記上部回路の端子を前記保護パネル本体から引き出す」こと、すなわち、複数の引き回し回路から外部への複数の接続端子を一箇所に集めたのち、一箇所に集められた複数の接続端子を１つの集合体として外部に取り出すための貫通孔を透明の保護パネル本体（１）に備え、かつ、その貫通孔を加飾層（９）で隠蔽することについては、周知技術を例示するために挙げた文献には全く開示も示唆もされていない旨主張している。
　しかしながら、当該主張は請求項の記載に基づかない主張であり、採用することができないことは、前述のとおりであり、かつ、請求人の主張する相違点が仮に請求項に記載されたとしても、当該事項が配線技術としての技術常識にすぎず、実質的な相違点ということはできないことは、前述のとおりである。
　エ　以上検討のとおり、上記相違点１は格別なものであるとは認められない。
　
（２）相違点２について
　引用発明の「感圧シートタブレット」が「取着された」「表面板」は、「液晶表示パネル」を保護する機能を有するとともに、表示窓としての機能も有している。そして、外側面が同一平面を形成するように保護パネルや表示窓を外側面側からケーシングに組み付けるに当たり、前記保護パネルや前記表示窓が前記ケーシングに対し隙間なく嵌め込まれるように前記ケーシングのパネル嵌め込み部を形成することは、保護パネルや表示パネルが付いた表示装置を備えた電子機器の技術分野において本件出願の優先日当時の周知技術である（例えば、実願平２−１１５１３９号（実開平４−７２２２２号）のマイクロフィルム（明細書の第２頁第５行〜第３頁第４行、第３図）、特開平１０−１４３０７８号公報（特に、段落【００１３】、図１〜４）、特開２００３−１５００６６号公報（特に、前側カバー２３の段差部２９にタッチパネル２６の縁部が嵌合され、タッチパネル２６前側カバー２３の段差部２８とタッチパネル２６の表面が面一となる点（段落【００１３】、図５）。）を参照。）。したがって、相違点２は実質的な相違点ではなく、格別なものではない。
　
（３）特許法第２９条第２項の要件についてのまとめ
　以上検討のとおり、上記相違点１及び相違点２には格別なものではなく、当業者が適宜なし得たことにすぎない。そして、本願発明の効果は引用発明、引用例２ないし引用例３に記載された事項及び周知技術から当業者が予測し得る程度のものに過ぎない。
　したがって、本願発明は、引用発明、引用例２ないし引用例３に記載された事項及び周知技術に基いて当業者が容易に発明をすることができたものであるからから、特許法第２９条第２項の規定により特許を受けることができない。
　
　
第５　むすび
　以上のとおり、本願発明は先願明細書に記載された発明と実質的に同一であり、かつ、本願発明の発明者が先願明細書に記載された発明の発明者と同一であるとも、また、本願の出願時に、その出願人が先願の出願人と同一であるとも認められないから、本願発明は特許法第２９条の２の規定により特許を受けることができない。
　また、本願発明は、引用発明、引用例２ないし引用例３に記載された事項及び周知技術に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。